(57)【特許請求の範囲】
【請求項１】
階段下地に下地調整材と階段被覆材を重ねて設けた階段被覆構造であって、下地調整材は硬質の合成樹脂又は金属によって踏み面調整部と、段鼻調整部と、その下方に延びる蹴上げ調整部とを一体に形成すると共に、踏み面調整部の上面を後端に近づくほど高さが徐々に減少又は増加するように傾斜させたものであり、階段被覆材は軟質の合成樹脂又はゴムによって踏み面被覆部と、段鼻被覆部と、その下方に延びる蹴上げ被覆部とを一体に形成したものであることを特徴とする階段被覆構造。
【請求項２】
階段被覆材が軟質の合成樹脂又はゴムによって踏み面被覆部と、段鼻被覆部と、その下方に延びる蹴上げ被覆部と、踏み面被覆部の後端から上方へ折り曲げる蹴上げ被覆部とを一体に形成したものであることを特徴とする請求項１に記載の階段被覆構造。
【請求項３】
下地調整材の少なくとも踏み面調整部の下面に、踏み面調整部の横幅方向に延びる凸条を互いに平行に複数形成し、これらの凸条の高さを、踏み面調整部の最も前端寄りに位置する凸条が最も高く、後端に近い凸条ほど低くなるように徐々に減少させて、踏み面調整部の上面を後端に近づくほど高さが徐々に減少するように傾斜させるか、又は、これらの凸条の高さを、踏み面調整部の最も前端寄りに位置する凸条が最も低く、後端に近い凸条ほど高くなるように徐々に増加させて、踏み面調整部の上面を後端に近づくほど高さが徐々に増加するように傾斜させたことを特徴とする請求項１又は請求項２に記載の階段被覆構造。
【請求項４】
凸条が下広がり形状の断面又は／及びＶ字形状の断面を有することを特徴とする請求項３に記載の階段被覆構造。
【請求項５】
下地調整材の踏み面調整部の後端に沿って排水溝を設けたことを特徴とする請求項１ないし請求項４のいずれかに記載の階段被覆構造。
【請求項６】
下地調整材の少なくとも踏み面調整部の上面に、踏み面調整部の横幅方向に延びる小溝を互いに平行に複数形成したことを特徴とする請求項１ないし請求項５のいずれかに記載の階段被覆構造。
【請求項７】
下地調整材の踏み面調整部を前後に複数分割し、分割体の端部を前後方向にスライド可能に重ねて接合したことを特徴とする請求項１ないし請求項６のいずれかに記載の階段被覆構造。
【請求項８】
下地調整材の蹴上げ調整部の下部前面側に、階段被覆材の段鼻被覆部の下方に延びる蹴上げ被覆部の下端部を差し込む剥離防止溝を形成したことを特徴とする請求項１ないし請求項７のいずれかに記載の階段被覆構造。
【請求項９】
剥離防止溝の前壁部の上部を略Ｌ形に屈曲させて排水溝を形成したことを特徴とする請求項８に記載の階段被覆構造。
【請求項１０】
階段被覆材を重ねて階段下地に取付ける下地調整材であって、硬質の合成樹脂又は金属によって踏み面調整部と、段鼻調整部と、その下方に延びる蹴上げ調整部とを一体に形成すると共に、踏み面調整部の上面を後端に近づくほど高さが徐々に減少又は増加するように傾斜させたことを特徴とする下地調整材。
【発明の詳細な説明】
【技術分野】
【０００１】
本発明は、階段下地の面倒な補修作業等を不要にして効率良く被覆施工することができる階段被覆構造と、これに用いる下地調整材に関する。
【背景技術】
【０００２】
従来より、既存の階段や新設の階段、特に既存の階段を軟質の合成樹脂製又はゴム製の被覆材で被覆することによって、階段の防滑性、意匠性、防水性、昇降時の衝撃緩和性、防音性などの向上が図られている。
【０００３】
本出願人も、水平な踏み面被覆部と、その前端の段鼻被覆部と、該段鼻被覆部から垂れ下がる蹴上げ被覆部とを備えた合成樹脂製の階段用シートを階段に重ね、階段用シートの踏み面被覆部と階段の踏み面を接着剤によって、階段用シートの段鼻被覆部と階段の段鼻をシーリング剤によって、それぞれ貼着すると共に、階段用シートの蹴上げ被覆部と階段の蹴上げを、独立気泡を備えた発泡倍率７〜４０倍の樹脂発泡体よりなるテープ基材の両面に熱老化しにくい樹脂粘着剤層を設けた厚さ１．５〜５．０ｍｍの両面粘着テープで貼着した階段構造（特許文献１）などを既に提案した。
【０００４】
一方、階段の踏み面をカバーする踏み面部と、これとほぼ垂直に形成された蹴込み面をカバーする蹴込み部を備えた階段用補修材であって、一体に構成されたＬ字型の金属基板、及び、該金属基板の少なくとも踏み面部表面に塗装された耐摩耗性塗料からなる階段用補修材を使用し、既設階段の踏み面をレベル調整した後、上記階段用補修材の踏み面部を既設階段の踏み面に取り付ける階段の補修方法（特許文献２）も提案されている。
【先行技術文献】
【特許文献】
【０００５】
【特許文献１】特開２００３−２９３５３９号公報
【特許文献２】特開２００３−１８４２５２号公報
【発明の概要】
【発明が解決しようとする課題】
【０００６】
しかしながら、上記特許文献１の階段構造をはじめとして、柔軟な合成樹脂製の被覆材やゴム製の被覆材で階段を被覆する場合は、柔軟な被覆材が階段下地の表面に追従し易いという利点を有する反面、階段下地に破損箇所（例えば段鼻の一部欠損など）や大きい凹凸（例えばモルタル仕上げが不良で踏み面の不陸が激しいものなど）がある場合には、被覆材で被覆し難いことがあり、無理やりに被覆すると、昇降時に被覆材が破損する恐れがあった。また、階段下地に凹凸があると、被覆材の表面にも凹凸ができたり、被覆材の剥離や浮き上がりが生じたりするため、水溜まりの原因や転倒事故の原因になるという問題もあった。このため、下地がモルタル仕上げの階段では、被覆材を貼り付ける前に、階段下地をモルタルで補修したり補正仕上げをしなければならない場合が多く、手間と時間がかかっていた。
【０００７】
一方、特許文献２のような耐摩耗性塗料を塗装した金属基板からなる階段用補修材を用いて階段を補修する場合は、階段下地の補修作業を省略することが可能となるが、このような階段用補修材は、長期に亘って良好な防滑性を発揮し難く、意匠性、衝撃緩和性、防音性なども劣るという問題があった。
【０００８】
本発明は上記事情の下になされたもので、その解決しようとする課題は、階段下地の面倒な補修作業等を不要にして効率良く被覆施工でき、良好な防滑性、防水性、衝撃緩和性、防音性等を発揮できると共に、踏み面被覆部に雨水等が滞溜し難い階段被覆構造と、これに用いる下地調整材を提供することにある。
【課題を解決するための手段】
【０００９】
上記課題を解決するため、本発明に係る階段被覆構造は、階段下地に下地調整材と階段被覆材を重ねて設けた階段被覆構造であって、下地調整材は硬質の合成樹脂又は金属によって踏み面調整部と、段鼻調整部と、その下方に延びる蹴上げ調整部とを一体に形成すると共に、踏み面調整部の上面を後端に近づくほど高さが徐々に減少又は増加するように傾斜させたものであり、階段被覆材は軟質の合成樹脂又はゴムによって踏み面被覆部と、段鼻被覆部と、その下方に延びる蹴上げ被覆部とを一体に形成したものであることを特徴としている。
【００１０】
本発明の階段被覆構造においては、階段被覆材が軟質の合成樹脂又はゴムによって踏み面被覆部と、段鼻被覆部と、その下方に延びる蹴上げ被覆部と、踏み面被覆部の後端から上方へ折り曲げる蹴上げ被覆部とを一体に形成したものであってもよい。
【００１１】
また、本発明の階段被覆構造においては、下地調整材の少なくとも踏み面調整部の下面に、踏み面調整部の横幅方向に延びる凸条を互いに平行に複数形成し、これらの凸条の高さを、踏み面調整部の最も前端寄りに位置する凸条が最も高く、後端に近い凸条ほど低くなるように徐々に減少させて、踏み面調整部の上面を後端に近づくほど高さが徐々に減少するように傾斜させるか、又は、これらの凸条の高さを、踏み面調整部の最も前端寄りに位置する凸条が最も低く、後端に近い凸条ほど高くなるように徐々に増加させて、踏み面調整部の上面を後端に近づくほど高さが徐々に増加するように傾斜させることが好ましい。そして、これらの凸条は、下広がり形状の断面又は／及びＶ字形状の断面を有することが好ましい。
【００１２】
更に、本発明の階段被覆構造においては、下地調整材の踏み面調整部の後端に沿って排水溝を設けたり、下地調整材の少なくとも踏み面調整部の上面に、踏み面調整部の横幅方向に延びる小溝を互いに平行に複数形成したり、下地調整材の蹴上げ調整部の下部前面側に、階段被覆材の段鼻被覆部の下方に延びる蹴上げ被覆部の下端部を差し込む剥離防止溝を形成したり、この剥離防止溝の前壁部の上部を略Ｌ形に屈曲させて排水溝を形成することが好ましい。また、下地調整材の踏み面調整部を前後に複数分割し、分割体の端部を前後方向にスライド可能に重ねて接合することも好ましい。
【００１３】
そして、上記の階段被覆構造に用いる本発明の下地調整材は、階段被覆材を重ねて階段下地に取付ける下地調整材であって、硬質の合成樹脂又は金属によって踏み面調整部と、段鼻調整部と、その下方に延びる蹴上げ調整部とを一体に形成すると共に、踏み面調整部の上面を後端に近づくほど高さが徐々に減少又は増加するように傾斜させたことを特徴とするものである。
【発明の効果】
【００１４】
本発明の階段被覆構造のように、硬質の合成樹脂又は金属によって踏み面調整部と、段鼻調整部と、その下方に延びる蹴上げ調整部とを一体に形成すると共に、踏み面調整部の上面を後端に近づくほど高さが徐々に減少又は増加するように傾斜させた下地調整材、及び、軟質の合成樹脂又はゴムによって踏み面被覆部と、段鼻被覆部と、その下方に延びる蹴上げ被覆部とを一体に形成した階段被覆材を使用し、これらの下地調整材と階段被覆材を重ねて階段下地に設けると、階段下地に欠損部分や凹凸があっても、硬質の下地調整材でカバーされて、階段被覆材の貼付けに適した欠損部分や凹凸のない階段下地に調整されるため、モルタル等による階段下地の面倒な補修作業を省略して、下地調整材の上に軟質の階段被覆材を貼り重ねることにより、効率良く被覆施工することができる。そして、貼り重ねた軟質の合成樹脂又はゴムからなる階段被覆材によって、階段昇降時の防滑性、防水性、衝撃緩和性、防音性等が向上するため、滑って転倒したり騒音が出たりすることがなくなり、安全且つ静かに昇降できるようになる。また、本発明の階段被覆構造のように、下地調整材の踏み面調整部の上面を後端に近づくほど高さが徐々に減少又は増加するように傾斜させてあると、その上に貼り重ねられた階段被覆材の踏み面被覆部も、後端に近づくほど高さが徐々に減少又は増加するように傾斜して、踏み面被覆部に雨水等が滞溜し難くなるため、雨水等により踏み面被覆部が滑り易くなって転倒する危険性を回避することができる。
【００１５】
本発明の階段被覆構造においては、上記の階段被覆材に代えて、軟質の合成樹脂又はゴムによって踏み面被覆部と、段鼻被覆部と、その下方に延びる蹴上げ被覆部と、踏み面被覆部の後端から上方へ折り曲げる蹴上げ被覆部とを一体に形成した階段被覆材を使用してもよく、その場合は、踏み面被覆部の後端から上方へ折り曲げた蹴上げ被覆部によって、階段下地の踏み面の後端から立ち上がる蹴上げの表面まで被覆することができる。
【００１６】
下地調整材の踏み面調整部を前記のように傾斜させる手段としては、例えば、踏み面調整部の肉厚を後端に近づくほど徐々に薄く又は徐々に厚くしたり、下地調整材の踏み面調整部の前端裏面又は後端裏面にスペーサを設けるなどの手段を採用することも可能であるが、前者の手段では、踏み面調整部の肉厚の薄い後端側の強度不足、又は、最も動荷重が負荷される踏み面調整部の肉厚の薄い前端側の強度不足を招く恐れがあり、後者の手段では、部品点数が増え施工が複雑になる。これに対し、本発明の階段被覆構造のように、下地調整材の少なくとも踏み面調整部の下面に、踏み面調整部の横幅方向に延びる凸条を互いに平行に複数形成し、これらの凸条の高さを、踏み面調整部の最も前端寄りに位置する凸条が最も高く、後端に近い凸条ほど低くなるように徐々に減少させて、踏み面調整部の上面を後端に近づくほど高さが徐々に減少するように傾斜させるか、又は、これらの凸条の高さを、踏み面調整部の最も前端寄りに位置する凸条が最も低く、後端に近い凸条ほど高くなるように徐々に増加させて、踏み面調整部の上面を後端に近づくほど高さが徐々に増加するように傾斜させると、上記の不都合を全て解消できるので好ましい。
【００１７】
そして、本発明の階段被覆構造のように、下地調整材の踏み面調整部の下面に形成した上記凸条が下広がり形状の断面又は／及びＶ字形状の断面を有すると、例えば下広がり形状の断面を有する凸条の場合は、下地調整材の踏み面調整部を階段下地の踏み面に接着剤等で貼り付ける際に下広がり形状の凸条がアンカー効果を発揮するため、下地調整材を剥離しないように強固に貼り付けることが可能となり、しかも、該凸条が階段下地の踏み面の凹凸等に対応しながら部分的に接触して下地調整材を安定良く支持するため、下地調整材をガタツキなく階段下地に貼り付けることが可能となる。また、Ｖ字形状の断面を有する凸条の場合は、アンカー効果は小さくなるけれども、凸条の尖った下端が階段下地の踏み面の凹凸に対応しながら部分的に点接触ないし線接触するため、下地調整材の支持安定性が更に向上する効果があり、下広がりの断面を有する凸条とＶ字形状の断面を有する凸条が交互に形成されている場合は、双方の効果を発揮できるようになる。
【００１８】
更に、本発明の階段被覆構造において、下地調整材の踏み面調整部の後端に沿って排水溝を設けたものは、後端に近づくほど高さが徐々に減少するように傾斜させた場合にあっては、雨水等が階段被覆材の後端にある排水溝に向かって傾斜した踏み面被覆部から該排水溝に流れ込み、該排水溝の両端又は片端からスムーズに排水されるので、階段の排水性が向上する利点がある。また、後端に近づくほど高さが徐々に増加するように傾斜させた場合にあっては、雨水等が階段被覆材の先端に向かって傾斜した踏み面被覆部から段鼻被覆部を通って下段の排水溝に流下ずるので、排水性が向上する。
【００１９】
更に、本発明の階段被覆構造において、下地調整材の少なくとも踏み面調整部の上面に、踏み面調整部の横幅方向に延びる小溝を互いに平行に複数形成したものは、踏み面調整部の上に階段被覆材の踏み面被覆部を貼り重ねるときに、小溝が空気抜き溝の役目を果たすため、膨らみが生じないように貼り重ねることができ、また、下地調整材の踏み面調整部の前後寸法が階段下地の踏み面の前後寸法より大きい場合には、上記小溝を切断ガイド溝として利用し、上記小溝に沿って踏み面調整部を容易に切断できる利点がある。
【００２０】
更に、本発明の階段被覆構造において、下地調整材の蹴上げ調整部の下部前面側に、階段被覆材の段鼻被覆部の下方に延びる蹴上げ被覆部の下端部を差し込む剥離防止溝を形成したものは、この剥離防止溝に階段被覆材の蹴上げ被覆部の下端部を差し込むことによって、従来のように、蹴上げ被覆部を貼り付ける接着剤が硬化するまでに蹴上げ被覆部が端部より剥離したり、或いは、蹴上げ被覆部を貼り付けた接着剤や両面粘着テープが経時的に劣化して蹴上げ被覆部が剥離するのを、確実に防止できる利点がある。そして、この剥離防止溝の前壁部の上部を略Ｌ形に屈曲させて排水溝を形成したものは、蹴上げ被覆部を流れ落ちる雨水等を排水溝に受け止めて該排水溝の両端から排水できるため、階段の排水性が向上すると共に、階段下地の蹴上げ面が雨水等の伝い落ちた痕跡によって汚れるのを防止できる利点がある。
【００２１】
更に、本発明の階段被覆構造において、下地調整材の踏み面調整部を前後に複数分割し、分割体の端部を前後方向にスライド可能に重ねて接合したものは、分割体を前後方向にスライドさせることによって、下地調整材の踏み面調整部の前後寸法を階段下地の踏み面の前後寸法に合致するように調整できるので、被覆施工性が一層向上する利点がある。
【００２２】
また、本発明に係る下地調整材は、硬質の合成樹脂又は金属によって踏み面調整部と、段鼻調整部と、その下方に延びる蹴上げ調整部とを一体に形成すると共に、踏み面調整部の上面を後端に近づくほど高さが徐々に減少又は増加するように傾斜させたものであるから、これを接着剤等で階段下地に貼り付けると、階段下地に欠損部分や凹凸があっても、これをカバーして階段被覆材の貼付けに適した欠損部分や凹凸のない階段下地に調整できるため、モルタル等による階段下地の面倒な補修作業を不要にして被覆施工性の大幅な向上を図ることができ、しかも、この下地調整材に貼り重ねた階段被覆材の踏み面被覆部が、後端に近づくほど高さが徐々に減少又は増加するように傾斜して、踏み面被覆部に雨水等が滞溜し難くなるため、雨水等により踏み面被覆部が滑り易くなって転倒する危険性を回避することができる。
【図面の簡単な説明】
【００２３】
【図１】本発明の一実施形態に係る階段被覆構造の断面図である。
【図２】同階段被覆構造に用いる階段被覆材の側面図である。
【図３】（ａ）は同階段被覆構造に用いる下地調整材の側面図、（ｂ）は（ａ）の円Ｃ１で囲んだ部分の拡大図、（ｃ）は（ａ）の円Ｃ２で囲んだ部分の拡大図である。
【図４】本発明に係る下地調整材の他の例を示す側面図である。
【図５】本発明に係る下地調整材の更に他の例を示す側面図である。
【図６】本発明に係る下地調整材の更に他の例を示す側面図である。
【図７】本発明に係る下地調整材の更に他の例を示す側面図である。
【図８】本発明に係る下地調整材の更に他の例を示す側面図である。
【図９】本発明に係る下地調整材の更に他の例を示す側面図である。
【図１０】本発明に係る下地調整材の更に他の例を示す側面図である。
【図１１】本発明に係る下地調整材の更に他の例を示す側面図である。
【図１２】本発明の他の実施形態に係る階段被覆構造の断面図である。
【図１３】同階段被覆構造に用いる階段被覆材の側面図である。
【図１４】同階段被覆構造に用いる下地調整材の側面図である。
【図１５】本発明の更に他の実施形態に係る階段被覆構造の断面図である。
【図１６】同階段被覆構造に用いる下地調整材の側面図である。
【発明を実施するための形態】
【００２４】
以下、図面を参照して本発明の具体的な実施形態を詳述する。
【００２５】
図１は本発明の一実施形態に係る階段被覆構造の断面図、図２は同階段被覆構造に用いる階段被覆材の側面図、図３の（ａ）は同階段被覆構造に用いる下地調整材の側面図、（ｂ）は（ａ）の円Ｃ１で囲んだ部分の拡大図、（ｃ）は（ａ）の円Ｃ２で囲んだ部分の拡大図、図４〜図１１はいずれも本発明に係る下地調整材の他の例を示す側面図である。
【００２６】
この階段被覆構造は、既設のコンクリート製の階段下地１に、下地調整材２と階段被覆材３を重ねて設けたものであって、図１に示すように、既設の階段下地１の段鼻には欠損部１ａが、また、踏み面には凹凸１ｂが、部分的に存在している。
【００２７】
下地調整材２は、階段下地１の上記欠損部１ａや凹凸１ｂをカバーして、階段被覆材３の貼付けに適した欠損部や凹凸のない階段下地に調整し、モルタル等による階段下地１の面倒な補修作業を省略するために、階段下地１に貼り付けられるものであって、図１，図３に示すように、階段下地１の踏み面に重ねられる踏み面調整部２ａと、階段下地１の段鼻に重ねられる段鼻調整部２ｂと、この段鼻調整部２ｂから下方に延びて階段下地１の蹴上げ上部に重ねられる蹴上げ調整部２ｃとが一体に形成されたものである。
【００２８】
この下地調整材２は、アルミニウム、鋼板等の金属、ガラス繊維で補強された熱硬化性樹脂やポリカーボネート、アクリル、ポリ塩化ビニル等の熱可塑性樹脂など、硬質で剛性のある合成樹脂又は金属で形成されたものが使用され、特に、押出成形法で成形された量産性の良いものが好ましく使用される。軟質の材料で形成されたものは、階段下地１の欠損部１ａや凹凸１ｂに追従して変形するため、階段被覆材３の貼付けに適した階段下地を調整することはできない。
【００２９】
この下地調整材２の踏み面調整部２ａの下面には、踏み面調整部２ａの横幅方向の一端から他端まで延びる断面が下広がり形状（台形状）の凸条２ｄが、一定間隔をあけて互いに平行に複数形成されている。そのため、図１に示すように接着剤４等で下地調整材２の踏み面調整部２ａを階段下地１の踏み面に貼り付けると、下広がり形状の凸条２ｄがアンカー効果を発揮して、接着強度が大幅に向上し、しかも、この凸条２ｄが階段下地1の踏み面の凹凸１ｂ等に対応しながら部分的に接触して下地調整材２を安定良く支持するため、下地調整材２をガタツキなく強固に階段下地１に貼り付けることができる。また、このような凸条２ｄを形成すると、該凸条２ｄが補強リブの役目もするため、下地調整材２の強度、特に撓み強度が向上する利点もある。
【００３０】
凸条２ｄのピッチ間隔は１０〜１５ｍｍ程度に設定することが好ましく、また凸条２ｄの高さは１〜５ｍｍ程度に設定することが好ましい。凸条２ｄのピッチ間隔と高さをこれらの範囲に設定すると、上記の作用効果が顕著に発揮されるようになる。下地調整材２の肉厚（踏み面調整部２ａ、段鼻調整部２ｂ、蹴上げ調整部２ｃの厚み寸法）は特に限定されないが、強度、重量、コスト等を総合的に勘案すると、２ｍｍ程度に設定するのが最適である。
【００３１】
この下地調整材２は、踏み面調整部２ａの下面の凸条２ｄの高さを、踏み面調整部２ａの最も前端寄り（図３では最も左寄り）に位置する凸条が最も高く、後端（図３では右端）に近い凸条ほど低くなるように徐々に減少させることによって、踏み面調整部２ａの上面を後端に近づくほど高さが徐々に減少するように傾斜させている。このように下地調整材２の踏み面調整部２ａを傾斜させると、その上に貼り重ねる階段被覆材３の踏み面被覆部３ａも、後端に近づくほど高さが徐々に減少するように傾斜して、踏み面被覆部３ａに雨水等が滞溜し難くなるため、雨水等により階段被覆材３の踏み面被覆部３ａが滑り易くなって転倒する危険性を回避できる利点がある。尚、本実施態様とは逆に後端に近づくほど高さが徐々に増加するように傾斜させても、同様の効果を奏する。
【００３２】
下地調整材２の踏み面調整部２ａを上記のように傾斜させる手段としては、例えば、踏み面調整部２ａの肉厚を後端に近づくほど徐々に薄くしたり、下地調整材２の踏み面調整部２ａの前端裏面にスペーサ（不図示）を設ける等の手段を採用することも可能であるが、前者の手段では、踏み面調整部２ａの肉厚が薄い後端側の強度不足を招く恐れがあり、後者の手段では、部品点数が増えて施工が複雑になるので、上記のように凸条２ｄの高さを、後端に近い凸条ほど低くなるように徐々に減少させるという手段で、踏み面調整部２ａの上面を傾斜させることが好ましい。また、凸条２ｄの高さを、後端に近い凸条ほど高くなるように徐々に増加させるという手段も、上述したように好ましい。
【００３３】
尚、上記の下地調整材２では、凸条２ｄを踏み面調整部２ａの下面のみに形成しているが、段鼻調整部２ｂや蹴上げ調整部２ｃの裏面に形成してもよいことは言うまでもない。
【００３４】
図１，図３に示すように、この下地調整材２の蹴上げ調整部２ｃの下端の前面側には、階段被覆材３の蹴上げ被覆部３ｃの下端を支持する支持凸縁２ｅが形成されており、この支持凸縁２ｅの下面にＶ字形状の断面を有する水切り部２ｆが形成されている。このような水切り部２ｆが存在しない場合は、階段被覆材３の蹴上げ被覆部３ｃを伝い落ちた雨水等が階段下地１の蹴上げの露出面を伝い落ちるため、雨水等の伝い落ちた痕跡が汚れとなって蹴上げの露出面に残ることになるが、上記水切り部２ｆが形成されていると、階段被覆材３の蹴上げ被覆部３ｃを伝い落ちる雨水等が上記水切り部２ｆから下段の階段被覆材３に落下するので、階段下地１の蹴上げ面に汚れが生じなくなる。
【００３５】
下地調整材２の踏み面調整部２ａと蹴上げ調整部２ｃとの夾角θは、階段下地１の踏み面と蹴上げの夾角が通常８０°程度であるから、これを考慮して８０°程度に設定することが好ましい。このような夾角θを有する下地調整材２は、従来の殆ど全ての階段下地１に対して、蹴上げ調整部２ｃが階段下地１の蹴上げと略平行となるように貼り付けることができる。
【００３６】
また、下地調整材２の夾角θが階段下地の夾角よりも大きく、蹴上げ調整部２ｃの先端と階段下地の蹴上げの間に隙間があるような場合（不図示）でも、下地調整材２が充分な強度を持つようにしておけば、階段下地の角度を調整して階段被覆材３を被覆することができる。逆に、下地調整材２の夾角θが階段下地の夾角よりも小さい場合でも、階段下地の角度を調整して階段被覆材３を被覆できることは言うまでもない。更に、階段の各段の下地の夾角が若干変わっているような不揃いの階段でも、下地調整材２を用いれば、同一の角度に揃えて階段被覆材を被覆できるので、美しい仕上がりにすることができる。
【００３７】
上記の下地調整材２は、階段下地１に対して、接着剤４やコーキング剤や粘着剤等で貼り付けるのが良く、特に、下面に凸条２ｄが形成された下地調整材２は、階段下地と強固に固定できる一液（湿気）硬化型ウレタン、二液硬化型ウレタン、二液硬化型エポキシ等の硬化型接着剤やコーキング剤、或いは、アクリル系エマルジョン等のエマルジョンタイプの接着剤やコーキング剤、ホットメルト接着剤等で貼り付けることが好ましい。また、下地調整材２の蹴上げ調整部２ｃは上記の接着剤等で貼り付ける他、ブチルゴム等のゴム系粘着剤やアクリル系粘着剤を芯材の両面に塗布した両面粘着テープを用いて貼り付けることも好ましい。もっとも、踏み面調整部２ａと段鼻調整部２ｂを上記の接着剤４やコーキング剤で貼り付けるのみで下地調整材２を階段下地１に強固に固定できる場合は、下地調整材２の蹴上げ調整部２ｃを上記の接着剤等で階段下地１の蹴上げに貼り付ける必要は必ずしもない。
【００３８】
また、上記の下地調整材２は、予め形成したビス孔からビスを階段下地１にねじ込む等の手段で、階段下地１から剥離しないように貼り付けてもよい。その場合は、ビス孔に座繰を形成し、ビス頭が下地調整材２の表面から突出しないようにすることが好ましい。
【００３９】
尚、接着剤４や粘着剤で下地調整材２を階段下地１に貼り付ける場合には、階段下地１の表面に微細なシボやヘアラインを形成し、接着強度や粘着強度を高めることが好ましい。
【００４０】
下地調整材２に貼り重ねられる階段被覆材３は、図１，図２に示すように、軟質の合成樹脂又はゴムによって、下地調整材２の踏み面調整部２ａに貼り重ねられる踏み面被覆部３ａと、下地調整材２の段鼻調整部２ｂに貼り重ねられる段鼻被覆部３ｂと、この段鼻被覆部３ｂから下方に延びて下地調整材２の蹴上げ調整部２ｃに貼り重ねられる蹴上げ被覆部３ｃとが一体に形成されたものであり、踏み面被覆部３ａの上面には、滑り止め用の大小の突起３ｄ，３ｅが突設されている。そして、階段昇降時に大きい応力、剪断力、衝撃力等が作用する段鼻被覆部３ｂは厚肉化されて補強されており、かつ、段鼻被覆部３ｂの裏面と下地調整材２の段鼻調整部２ｂが密着するように、段鼻被覆部３ｂの裏面の曲率半径と段鼻調整部２ｂの表面の曲率半径が同一に設定されている。また、踏み面被覆部３ａと蹴上げ被覆部３ｃとの夾角θも、下地調整材２の夾角θと同様に８０°程度に設定されている。
【００４１】
階段被覆材３としては、軟質塩化ビニル、軟質ポリオレフィン等の軟質の熱可塑性合成樹脂又は合成ゴムからなる単層シートを図２に示すような略Ｌ形に曲げ加工したもの、軟質の熱可塑性合成樹脂からなる表面層と裏面層を積層した二層構造のシートを略Ｌ形に曲げ加工したもの、軟質の熱可塑性合成樹脂からなる表面層と裏面層との間にガラス繊維層を設けた三層構造のシートを略Ｌ形に曲げ加工したもの、裏面層の下面に合成樹脂製不織布を更に積層した三層又は四層構造のシートを略Ｌ形に曲げ加工したもの等が使用される。これらの中でも、表面層と裏面層との間にガラス繊維層を設けた階段被覆材は、ガラス繊維層によって寸法安定性や強度が向上する利点があり、また、裏面層の下面に合成樹脂製不織布を積層した階段被覆材は、下地調整材２に貼り付ける際にかみこんだ空気が合成樹脂製不織布の空隙を通って抜けたり、合成樹脂製不織布の空隙が接着剤から発生したガスを均一に含むことができ、階段被覆材の膨れを防止できると共に、接着強度も向上する利点があるので、特に好ましく使用される。
【００４２】
このような階段被覆材３は、一液（湿気）硬化型ウレタン接着剤、二液硬化型ウレタン接着剤、二液硬化型エポキシ接着剤等、各種エマルジョン系の接着剤を用いて下地調整材２に貼り重ねられるが、特に、階段被覆材３の蹴上げ被覆部３ｃの裏面に前記の両面粘着テープを予め貼着しておき、硬化型接着剤が完全に硬化して充分な接着力を発揮するまでの間、この両面粘着テープで階段被覆剤３の蹴上げ被覆部３ｃを下地調整材２の蹴上げ調整部に貼り付けて、階段被覆材３がズレたり剥離したりすることがないように固定することが好ましい。尚、図１においては、階段被覆材３を貼り付けるための硬化型接着剤や両面粘着テープは図示されていない。
【００４３】
また、図示されていないが、この階段被覆材３の周縁部や下地調整材２の周縁部は、コーキング剤によって止水と剥離防止を図ることが好ましく、そのようなコーキング剤としては、一液（湿気）硬化型ウレタン、二液硬化型ウレタン、二液硬化型エポキシなどのコーキング剤が好ましく使用される。
【００４４】
また、図１に示すように、下地調整材２の踏み面調整部２ａの後端に沿って排水溝５を設けることが好ましく、このような排水溝５を設けると、雨水等が階段被覆材３の傾斜した踏み面被覆部３ａから該排水溝５に流れ込み、該排水溝５の両端又は片端からスムーズに排水されるので、階段の排水性が向上する利点がある。更に、蹴上げ調整部２ｃの下端に水切り部２ｆがある場合は、水切り部２ｆと排水溝５とを垂直関係に形成しておくと、蹴上げ被覆部３ｃを伝い落ちる雨水等が水切り部２ｆから直接排水溝５に落下するので、階段の排水性の向上が図れる。
【００４５】
以上の階段被覆構造のように、硬質の合成樹脂又は金属からなる下地調整材２を階段下地１に貼り付けると、階段下地１に欠損部分１ａや凹凸１ｂがあっても硬質の下地調整材２でカバーされて、階段被覆材３の貼付けに適した欠損部分や凹凸のない階段下地に調整されるため、従来のモルタル等による階段下地の面倒な補修作業を省略して下地調整材２の上に軟質の階段被覆材３を貼り重ねることにより、効率良く被覆施工することができる。そして、貼り重ねた軟質の合成樹脂又はゴムからなる階段被覆材３によって、階段昇降時の防滑性、防水性、衝撃緩和性、防音性等が向上するため、滑って転倒したり大きい騒音が出たりすることがなくなり、安全且つ静かに昇降できるようになる。
【００４６】
本発明の階段被覆構造においては、上記の下地調整材２に代えて、図４〜図１１に示すような種々の下地調整材を使用することができる。
【００４７】
図４に示す下地調整材２０は、踏み面調整部２ａの下面に、該踏み面調整部２ａの横幅方向の一端から他端まで延びる断面がＶ字形状の凸条２ｇを一定間隔をあけて互いに平行に複数形成し、踏み面調整部２ａの最も前端寄りに位置する凸条が最も高く後端に近い凸条ほど低くなるように各凸条２ｇの高さを徐々に減少させることによって、踏み面調整部２ａの上面を後端に近づくほど低くなるように傾斜させたものである。この下地調整材２０の他の構成は前記下地調整材２と同様であるから、図４において同一部分に同一符号を付し、重複説明を省略する。
【００４８】
このような下地調整材２０を接着剤４等で階段下地１に貼り付けると、凸条２ｇによるアンカー効果は前記下地調整材２の下広がり形状の凸条２ｄより低下するが、Ｖ字形状の凸条２ｇの尖った下端が階段下地１の踏み面の凹凸１ｂ等に対応しながら部分的に点接触ないし線接触して、より安定的に下地調整材２０を支持できるようになるため、前記下広がり形状の凸条２ｄで支持する場合よりも、下地調整材２０の支持安定性が向上する利点がある。
【００４９】
図５に示す下地調整材２１は、踏み面調整部２ａの下面に、該踏み面調整部２ａの横幅方向の一端から他端まで延びる断面が下広がり形状の凸条２ｄと、断面がＶ字形状の凸条２ｇを一定間隔をあけて交互に形成し、踏み面調整部２ａの最も前端寄りに位置する凸条が最も高く後端に近い凸条ほど低くなるように各凸条２ｄ，２ｇの高さを徐々に減少させることによって、踏み面調整部２ａの上面を後端に近づくほど低くなるように傾斜させたものである。このように下広がり形状の凸条２ｄとＶ字形状の凸条２ｇを交互に形成する場合は、Ｖ字形状の凸条２ｇの高さが両隣の下広がり形状の凸条２ｄより少し高くなるように設定し、主にＶ字形状の凸条２ｇによって下地調整材２１を支持させることが好ましい。この下地調整材２１の他の構成は前記下地調整材２と同様であるから、図５において同一部分に同一符号を付し、重複説明を省略する。
【００５０】
このような下地調整材２１を接着剤４等で階段下地１に貼り付けると、下広がり形状の凸条２ｄのアンカー作用による接着強度の向上と、Ｖ字形状の凸条２ｇによる支持安定性の向上との双方の効果を発揮できる利点がある。
【００５１】
図６に示す下地調整材２２は、蹴上げ調整部２ｃの下部前面側に、階段被覆材３の段鼻被覆部３ｂの下方に延びる蹴上げ被覆部３ｃの下端部を差し込む剥離防止溝２ｈを形成し、この剥離防止溝２ｈの前側下端に水切り部２ｆを設けたものである。この下地調整材２２の他の構成は前記下地調整材２と同様であるから、図６において同一部分に同一符号を付し、重複説明を省略する。
【００５２】
このような下地調整材２２は、剥離防止溝２ｈに階段被覆材３の蹴上げ被覆部３ｃの下端部を差し込むことによって、従来のように、蹴上げ被覆部を貼り付ける接着剤が硬化するまでに蹴上げ被覆部が剥離したり、或いは、蹴上げ被覆部を貼り付けた接着剤や両面粘着テープが経時的に劣化して蹴上げ被覆部が剥離するのを、確実に防止できる利点がある。尚、上記剥離防止溝２ｈを形成した場合は、階段被覆材の蹴上げ被覆部３ｃと下地調整材の蹴上げ調整部２ｃとを固定する両面粘着テープを用いると、剥離防止溝２ｈに階段被覆材３の蹴上げ被覆部３ｃの下端部を差し込みづらくなるため、階段被覆材の蹴上げ被覆部３ｃと下地調整材の蹴上げ調整部２ｃとの固定には、接着剤又はコーキング剤を用いることが望ましい。
【００５３】
図７に示す下地調整材２３は、蹴上げ調整部２ｃの下部前面側に、階段被覆材３の蹴上げ被覆部３ｃの下端部を差し込む剥離防止溝２ｈを形成すると共に、この剥離防止溝２ｈの前壁部２ｉの上部を略Ｌ形に屈曲させて排水溝２ｊを形成し、剥離防止溝２ｈの下端の水切り部を省略したものである。この下地調整材２３の他の構成は前記下地調整材２と同様であるから、図７において同一部分に同一符号を付し、重複説明を省略する。
【００５４】
このような下地調整材２３は、剥離防止溝２ｈによって階段被覆材３の蹴上げ被覆部３ｃの剥離を確実に防止できることに加えて、階段被覆材３の蹴上げ被覆部３ｃを流れ落ちる雨水等を排水溝２ｊに受け止めて該排水溝２ｊの両端から排水できるため、階段の排水性が向上すると共に、階段下地１の蹴上げ面が雨水等の伝い落ちた痕跡によって汚れるのを防止できる利点がある。
【００５５】
図８に示す下地調整材２４は、踏み面調整部２ａの上面に、該踏み面調整部２ａの横幅方向の一端から他端まで延びる小溝２ｋを、凸条２ｄの相互間隔と同じ相互間隔をあけ、凸条２ｄと凸条２ｄの中間に位置させて、互いに平行に複数形成したものである。この下地調整材２４の他の構成は前記下地調整材２と同様であるから、図８において同一部分に同一符号を付し、重複説明を省略する。
【００５６】
このような下地調整材２４は、その踏み面調整部２ａの上に階段被覆材３の踏み面被覆部３ａを貼り重ねるときに、小溝２ｋが空気抜き溝の役目を果たすため、膨らみが生じないように貼り重ねることができ、また踏み面調整部２ａと階段被覆材３の踏み面被覆部３ａを接着する際のアンカーとしても働くため、強固に階段被覆材３を固定することができる。更に、下地調整材２４の踏み面調整部２ａの前後寸法が階段下地１の踏み面の前後寸法より大きい場合には、上記小溝２ｋを切断ガイド溝として利用し、上記小溝２ｋに沿って踏み面調整部２ａを容易に切断できる利点がある。
【００５７】
図９に示す下地調整材２５は、その踏み面調整部２ａを前後に二分割し、前側の分割体２０ａの後端部に一段低い受け段部２ｍを形成して、この受け段部２ｍに後側の分割体２１ａの前端部を前後方向にスライド可能に重ねて接合するように構成したものである。受け段部２ｍの前後幅は特に限定されないが、あまり広すぎると、階段下地１の踏み面に貼り付けるときの支持安定性が低下するので、受け段部２ｍの前後幅は、凸条２ｄの相互間隔と同程度ないし相互間隔の２倍程度とすることが好ましい。また、受け段部２ｍの段差面と後側の分割体２１ａとの間に生じる凹空部には、前述したコーキング材を詰めることが好ましい。尚、この下地調整材２５では、蹴上げ調整部２ｃの下端の支持凸縁と水切りが省略されている。その他の構成は前記下地調整材２と同様であるから、図９において同一部分に同一符号を付し、重複説明を省略する。
【００５８】
このような分割タイプの下地調整材２５は、前側の分割体２０ａの受け段部２ｍの範囲内で、後側の分割体２１ａの前端部を前後方向にスライドさせることによって、踏み面調整部２ａの全体の前後寸法を階段下地１の踏み面の前後寸法に対応して調整できるため、被覆施工性が更に向上する利点がある。尚、上記の下地調整材２５は踏み面調整部２ａを二分割しているが、三分割以上としてもよいことは言うまでもない。
【００５９】
図１０に示す下地調整材２５１は、その踏み面調整部２ａを前側の分割体２０ａと後側の分割体２１１ａとに分割したもので、後側の分割体２１１ａの後端に、階段被覆材３の踏み面被覆部３ａの剥離防止溝２1１ｈを設けたものである。その他の構成は前記下地調整材２５と同様であるから、図１０において同一部分に同一符号を付し、重複説明を省略する。
【００６０】
分割タイプの下地調整材は、階段の踏み面の前後寸法に合わせてスライドさせながら踏み面調整部２ａの前後寸法を調整できるため、踏み面調整部２ａの後端を切断して調整する必要がない。このため、後側の分割体２１１ａの後端に、踏み面被覆部３ａの剥離防止溝２1１ｈを設けることができ、その踏み面被覆部の剥離防止溝２1１ｈに階段被覆材３の踏み面被覆部３ａを差し込むことで、踏み面被覆部３ａの剥離を防止することができる。
【００６１】
図１１に示す下地調整材２５２は、その踏み面調整部２ａを前側の分割体２０ａと後側の分割体２１２ａとに分割したもので、後側の分割体２１２ａの後端に、排水溝部２１２５を設けたものである。その他の構成は前記下地調整材２５と同様であるから、図１１において同一部分に同一符号を付し、重複説明を省略する。
【００６２】
図１１の下地調整材２５２も、図１０の下地調整材２５１と同様に分割タイプであるので、後側の分割体２１２ａの後端に、排水溝部２１２５を設けることができる。このように、予め後側の分割体２１２ａの後端に、排水溝部２１２５を設けておくことで、部材点数の削減となり、コストの低減、施工性の向上を図ることができる。
【００６３】
なお、図４〜図１１に示す実施形態の下地調整材はいずれも、踏み面調整部の下面の凸条の高さを、踏み面調整部の最も前端寄りに位置する凸条が最も高く、後端に近い凸条ほど低くなるように徐々に減少させて、踏み面調整部の上面を後端に近づくほど高さが徐々に減少するように傾斜させているが、これとは逆に、踏み面調整部の最も前端寄りに位置する凸条が最も低く、後端に近い凸条ほど高くなるように徐々に増加させて、踏み面調整部の上面を後端に近づくほど高さが徐々に増加するように傾斜させても勿論よい。
【００６４】
図１２は本発明の他の実施形態に係る階段被覆構造の断面図、図１３は同階段被覆構造に用いる階段被覆材の側面図、図１４は同階段被覆構造に用いる下地調整材の側面図である。
【００６５】
この階段被覆構造は、階段下地１の踏み面から段鼻及び段鼻下方の蹴上げ上部に亘って下地調整材２６と階段被覆材３０を貼り重ねると共に、階段被覆材３０の後端から上方へ折り曲げた蹴上げ被覆部３ｆによって、階段下地１の踏み面の後端から立ち上がる蹴上げの表面まで被覆したものである。
【００６６】
下地調整材２６は、図１４に示すように、蹴上げ調整部２ｃの裏面に、階段被覆材３０の後端の蹴上げ被覆部３ｆの厚み寸法に等しいか、若しくは若干大きい突出寸法を有するスペーサ２ｎを形成した点、及び、蹴上げ調整部２ｃの下端の支持凸縁と水切り部を省略した点で、前記の下地調整材２と構成が異なるものである。この下地調整材２６の他の構成は前記の下地調整材２と同様であるので、図１４において同一部分に同一符号を付し、重複説明を省略する。
なお、この下地調整材２６は、前記の下地調整材２とは逆に、凸条２ｄの高さを、踏み面調整部の最も前端寄りに位置する凸条が最も低く、後端に近い凸条ほど高くなるように徐々に増加させて、踏み面調整部２ａの上面を後端に近づくほど高さが徐々に増加するように傾斜させても勿論よい。
【００６７】
また、階段被覆材３０は、踏み面被覆部３ａの後端から上方へ折り曲げられる蹴上げ被覆部３ｆを一体に形成した点で、前記の階段被覆材３と構成が異なるものである。この階段被覆材３０の後端の蹴上げ被覆部３ｆは、施工現場において階段下地１の後端から立ち上がる蹴上げに沿うように上方へ折り曲げられるものであり、最初から上方へ折り曲げられているものではない。この階段被覆材３０の他の構成は前記階段被覆材３と同様であるので、図１３において同一部分に同一符号を付し、重複説明を省略する。
【００６８】
図１２に示すように、下地調整材２６は、その踏み面調整部２ａ、段鼻調整部２ｂ、蹴上げ調整部２ｃのスペーサ２ｎより上側部分が、前記の接着剤４によって、階段下地１の踏み面、段鼻、蹴上げ上部にそれぞれ貼り付けられている。そして、この下地調整材２６の上に、階段被覆材３０の踏み面被覆部３ａ、段鼻被覆部３ｂ、蹴上げ被覆部３ｃが前記の一液（湿気）硬化型ウレタン接着剤、二液硬化型ウレタン接着剤、二液硬化型エポキシ接着剤等、各種エマルジョン系の接着剤（不図示）で貼り重ねられると共に、階段被覆材３０の後端の蹴上げ被覆部３ｆが、階段下地１の踏み面の後端から立ち上がる蹴上げに沿うように上方に折り曲げられて、上記接着剤や前記両面粘着テープ（不図示）で蹴上げに貼り付けられており、この蹴上げ被覆部３ｆの上端が、階段下地の上段に貼り付けられた下地調整材２６の蹴上げ調整部２ｃの下部（スペーサ２ｎより下側部分）と蹴上げとの間隙に挿入されている。
【００６９】
このような実施形態の階段被覆構造では、前記実施形態の階段被覆構造と同様の作用効果に加えて、階段下地１の蹴上げを階段被覆材３０の後端の蹴上げ被覆部３ｆで全て被覆して美観を向上させることができるようになり、しかも、蹴上げ被覆部３ｆの上端部を下地調整材２６の蹴上げ調整部２ｃの下部で押さえることによって、接着剤が硬化するまでに蹴上げ被覆部３ｆが剥離したり、或いは、蹴上げ被覆部３ｆを貼り付けた接着剤や粘着剤が経時的に劣化して蹴上げ被覆部３ｆが剥離するのを、確実に防止できるといった作用効果が奏される。
【００７０】
図１５は本発明の更に他の実施形態に係る階段被覆構造の断面図、図１６は同階段被覆構造に用いられる下地調整材の側面図である。
【００７１】
この階段被覆構造は、踏み面調整部２ａの前後寸法が小さい下地調整材２７と前述した階段被覆材３０を重ねて階段下地１に貼り付けたものである。
【００７２】
この階段被覆構造に用いられる下地調整材２７は、前述した硬質の合成樹脂や金属によって、階段下地１の踏み面前縁部に重ねられる前後寸法の小さい踏み面調整部２ａと、階段下地１の段鼻に重ねられる段鼻調整部２ｂと、この段鼻調整部２ｂから下方へ伸びて階段下地１の蹴上げ上部に重ねられる蹴上げ調整部２ｃとを一体に形成したものであって、蹴上げ調整部２ｃの下部前面側には、階段被覆材３０の蹴上げ被覆部３ｃの下端部を差し込む剥離防止溝２ｈが形成されており、この剥離防止溝２ｈの前側下端に水切り部２ｆが突設されている。そして、蹴上げ調整部２ｃの裏面には、階段被覆材３０の後端の蹴上げ被覆部３ｆの厚み寸法に等しいか、若しくは若干大きい突出寸法を有するスペーサ２ｎが複数形成されている。
【００７３】
図１５に示すように、下地調整材２７は、蹴上げ調整部２ｃの下部（下側のスペーサ２ｎより下側部分）を除いて、前記の接着剤４で、階段下地１の踏み面の前縁部、段鼻、蹴上げ上部に貼り付けられている。そして、階段被覆材３０は、蹴上げ被覆部３ｃがその下端部を下地調整材２７の剥離防止溝２ｈに挿入した状態で蹴上げ調整部２ｃに重ねられ、段鼻被覆部３ｂが下地調整材２７の段鼻調整部２ｂに重ねられ、踏み面被覆部３ａの前縁部が下地調整材２７の踏み面調整部２ａに重ねられて、前記の接着剤（不図示）でそれぞれ貼り付けられており、更に、踏み面被覆部３ａの前縁部より後側部分と、階段下地１の後端から立ち上がる蹴上げに沿って上方に折り曲げられた蹴上げ被覆部３ｆは、階段下地１の踏み面と該蹴上げの表面に、前記の一液（湿気）硬化型ウレタン接着剤、二液硬化型ウレタン接着剤、二液硬化型エポキシ接着剤等、各種エマルジョン系の接着剤（不図示）で直接貼り付けられている。また、階段被覆材３０の蹴上げ被覆部３ｆの上端部は、階段下地１の上段に貼り付けられた下地調整材２７の蹴上げ調整部２ｃの下部（スペーサ２ｎより下側部分）と蹴上げとの間隙に挿入されている。
【００７４】
このような階段被覆構造では、下地調整材２７の踏み面調整部２ａによって階段下地１の踏み面全体を階段被覆材の貼り付けに適するように調整することはできないが、欠損部や凹凸が多く存在する階段下地１の踏み面前縁部や段鼻部や蹴上げ上部を、下地調整材２７で重点的にカバーして階段被覆材の貼り付けに適するように調整できるため、前述した下地調整材２，２０，２１，２２，２３，２４，２５，２５１，２５２，２６と同様に、欠損部や凹凸の面倒な補修を省略して効率良く被覆施工することができ、しかも、下地調整材２７の材料を大幅に節約してコストの低減と軽量化を達成できるといった効果が奏される。
【００７５】
また、階段被覆材３０の蹴上げ被覆部３ｃの下端部が下地調整材２７の剥離防止溝２ｈに差し込まれ、階段被覆材３０の後端から立ち上がる蹴上げ被覆部３ｆの上端部が、下地調整材２７の蹴上げ調整部２ｃの下部と蹴上げとの間隙部に挿入されているため、蹴上げ被覆部３ｃ，３ｆを貼り付ける接着剤が硬化するまでに蹴上げ被覆部３ｃ，３ｆが剥離したり、或いは、蹴上げ被覆部３ｃ，３ｆを貼り付けた接着剤が経時的に劣化して蹴上げ被覆部３ｃ，３ｆが剥離するのを確実に防止できるといった効果も奏される。そして、階段下地１の蹴上げを階段被覆材３０の後端の蹴上げ被覆部３ｆで全て被覆するので、階段の美観を向上させることができ、また、水切り２ｆによって、蹴上げ被覆部３ｆが雨水の伝い落ちる痕跡で汚れるのを防止できるといった効果も奏される。
【００７６】
図１５，図１６に示す実施形態では、スペーサ２ｎの断面が方形になっているが、前述の凸条２ｄ，２ｇと同様に、先広がり形状又はＶ字形状の断面を有するスペーサとして、アンカー作用による接着強度の向上、及び、支持安定性の向上を図るようにしてもよい。また、階段被覆材３０に代えて前述した階段被覆材３を貼り重ねてもよく、その場合は、スペーサ２ｎを形成しても、形成しなくてもよい。
【符号の説明】
【００７７】
１    階段下地
１ａ  欠損部
１ｂ  凹凸
２，２０，２１，２２，２３，２４，２５，２６，２７  下地調整材
２ａ  踏み面調整部
２ｂ  段鼻調整部
２ｃ  蹴上げ調整部
２ｄ，２ｇ  凸条
２ｆ  水切り部
２ｈ  剥離防止溝
２ｋ  小溝
２ｍ  受け段部
２ｎ  スペーサ
２０ａ  前側の分割体
２１ａ，２１１ａ，２１２ａ  後側の分割体
２1１ｈ  踏み面被覆部の剥離防止溝
２１２５  排水溝部
３，３０  階段被覆材
３ａ  踏み面被覆部
３ｂ  段鼻被覆部
３ｃ  蹴上げ被覆部
３ｆ  踏み面被覆部の後端から上方に折り曲げる蹴上げ被覆部
４    接着剤
５    排水溝
【図１】
0005426720.tif 000002
【図２】
0005426720.tif 000003
【図３】
0005426720.tif 000004
【図４】
0005426720.tif 000005
【図５】
0005426720.tif 000006
【図６】
0005426720.tif 000007
【図７】
0005426720.tif 000008
【図８】
0005426720.tif 000009
【図９】
0005426720.tif 000010
【図１０】
0005426720.tif 000011
【図１１】
0005426720.tif 000012
【図１２】
0005426720.tif 000013
【図１３】
0005426720.tif 000014
【図１４】
0005426720.tif 000015
【図１５】
0005426720.tif 000016
【図１６】
0005426720.tif 000017